【手続補正書】
【提出日】平成19年3月12日(2007.3.12)
【手続補正１】
【補正対象書類名】特許請求の範囲
【補正対象項目名】全文
【補正方法】変更
【補正の内容】
【特許請求の範囲】
【請求項１】
各微細構造がピークで終端となる少なくとも第一の面および少なくとも第二の面を有し、ピークの少なくとも一部はピークの上に延在する隆起部分を含む、複数の微細構造。
【請求項２】
複数の微細構造がコリメータ様式で光を再配向するよう設計される、請求項１記載の微細構造。
【請求項３】
目に見える欠陥を減少するために隆起部分がピークの上に延在して、隣接する表面をピークから離す間隔をあける、請求項１記載の微細構造。
【請求項４】
隆起部分が、隣接する表面をピークから少なくとも約0.3マイクロメートル離す間隔をあける、請求項3記載の微細構造。
【請求項５】
微細構造が透過投影スクリーン、コンピューターディスプレイもしくはモニター、オーバーヘッドプロジェクターディスプレイ、または液晶ディスプレイの一部を形成する、請求項1記載の微細構造。
【請求項６】
微細構造が微細構造のウィンドウ側に一連の底面および一連の平坦面を有し、該底面および該平坦面は第一の軸にそって続き、該平坦面および該底面が第二の軸にそって交互になり、該平坦面は該底面と同一平面上にはない、請求項1記載の微細構造。
【請求項７】
平坦面の少なくとも一部が平坦面の上に延在する隆起部分を含む、請求項6記載の微細構造。
【請求項８】
微細構造が連続プリズム、プリズム、角錐、角錐台、レンチキュラー、円錐、モスアイ構造を有する表面、回折構造、回折構造を有する表面、テクスチャ構造、レンズ、底面および平坦面、および/またはレンズアレイを含む、請求項1記載の微細構造。
【請求項９】
微細構造のウィンドウ側に施された微細構造のパターンをさらに含む、請求項1記載の微細構造。
【請求項１０】
異なって硬化されるパターンが微細構造のウィンドウ側上、および/またはウィンドウ側内で形成される、請求項1記載の微細構造。
【請求項１１】
パターンが微細構造のウィンドウ側上にマスクを置くことによって形成され、マスクは不透明領域および透明領域を含み、線源でプリズムを硬化し、ここで透明領域下のウィンドウ領域と比べて異なる時間量または割合で不透明領域下のウィンドウの領域を硬化させる照射を不透明領域がブロックし、結果としてパターンを生じる、請求項10記載の微細構造。
【請求項１２】
微細構造のウィンドウ側に施されたモスアイ構造を有する表面をさらに含む、請求項1記載の微細構造。
【請求項１３】
ウィンドウ側の少なくとも一部の領域がウィンドウ側の上に延在する隆起部分を含む、請求項9または12記載の微細構造。
【請求項１４】
微細構造が約60から120度の間の角度を有する、請求項1記載の微細構造。
【請求項１５】
複数の微細構造を含み、微細構造の少なくとも一部は異なる高さの位置表示を含む、光学フィルム。
【請求項１６】
フィルムがコリメータ様式で光を再配向するよう形づくられる、請求項15記載の光学フィルム。
【請求項１７】
異なる高さの位置表示が隣接するフィルム、表面または構造から光学フィルムを離す間隔をあける、請求項15記載の光学フィルム。
【請求項１８】
隣接するフィルム、表面または構造が光再配向フィルム、コリメータフィルム、摩耗減少層、光導波路、偏光構造、または散光器の少なくとも一つを含む、請求項17記載の光学フィルム。
【請求項１９】
微細構造を用いて光を平行にする、請求項15記載の光学フィルム。
【請求項２０】
微細構造が透過投影スクリーン、コンピューターディスプレイもしくはモニター、オーバーヘッドプロジェクターディスプレイ、または液晶ディスプレイの一部を形成する、請求項15記載の光学フィルム。
【請求項２１】
微細構造が微細構造のウィンドウ側に一連の底面および一連の平坦面を有し、該底面および該平坦面は第一の軸にそって続き、該平坦面および該底面が第二の軸にそって交互になり、平坦面は底面と同一平面上にはない、請求項15記載の光学フィルム。
【請求項２２】
微細構造のウィンドウ側に施された、異なって硬化されるパターンをさらに含む、請求項15記載の光学フィルム。
【請求項２３】
微細構造が連続プリズム、プリズム、角錐、角錐台、レンチキュラー、円錐、モスアイ構造を有する表面、回折構造、回折構造を有する表面、テクスチャ構造、レンズ、偏光表面、底面および平坦面、および/またはレンズアレイを含む、請求項15記載の光学フィルム。
【請求項２４】
微細構造のパターンが微細構造のウィンドウ側に施される、請求項15記載の光学フィルム。
【請求項２５】
異なって硬化されるパターンが微細構造のウィンドウ側上および/またはウィンドウ側内で形成される、請求項15記載の光学フィルム。
【請求項２６】
底面、第一の面および第二の面を有する第一の複数の微細構造、ならびに
底面、第一の面および第二の面を有し、該第一の面は第一の平面を含み、第二の面は第二の平面および第三の平面を含み、第一の複数に比べて異なる第二の複数の微細構造
を含む、光学フィルム。
【請求項２７】
フィルムが第一の複数の微細構造を含む少なくとも第一のゾーンおよび第二の複数の微細構造を含む少なくとも第二のゾーンを含む、請求項26記載の光学フィルム。
【請求項２８】
第一のゾーンおよび第二のゾーンがフィルムにそって交互になる、請求項27記載の光学フィルム。
【請求項２９】
第一の複数の微細構造のピークが第二の複数の微細構造のピークの上に延在する、請求項26記載の光学フィルム。
【請求項３０】
第一の複数の微細構造のピークが第二の複数の微細構造のピークの上に少なくとも約0.3マイクロメートル延在する、請求項29記載の光学フィルム。
【請求項３１】
第一、第二および第三の平面がそれぞれ異なる断面長さを有する、請求項26記載の光学フィルム。
【請求項３２】
第二の複数の微細構造が底面を含み、かつ第一の面が底面から第四の平面に延在する第一の平面を含み、第四の平面は微細構造の頂点の第二の平面まで延在する、請求項31記載の光学フィルム。
【請求項３３】
第一の複数の微細構造が第一の面と第二の面の間に約90度の角度を有する、請求項26記載の光学フィルム。
【請求項３４】
第二の複数の微細構造が第一の平面と第二の平面の間に約60から120度の間の角度を有する、請求項26記載の光学フィルム。
【請求項３５】
第二の平面および第三の平面が、断面で見た場合に凹形状または凸形状である、請求項26記載の光学フィルム。
【請求項３６】
フィルムが第一の硬化部分および第二の硬化部分を含み、それらが照射による硬化可能な同じ物質で形成され、第一の硬化部分は第一の時間量または割合までで、かつ第二の硬化部分は第二の時間量または割合までで硬化され、第一の時間量または割合は第二の時間量または割合に比べて十分に異なり、結果として構造の表面の不連続性を生じる、請求項26記載の光学フィルム。
【請求項３７】
直線状の頂点を終端とする第一の面および第二の面を有し、頂点の少なくとも一部分は直線状の頂点の上に延在する、微細構造。
【請求項３８】
少なくとも一部分が丸味のあるまたは伸長された、請求項37記載の微細構造。
【請求項３９】
第一の方向に向く複数の微細構造、および
微細構造のピークの上に延在する少なくとも一つの構造を含み、
少なくとも一つの該構造がフィルム上に不規則に位置する
光学フィルム。
【請求項４０】
フィルムのウィンドウ側に施された、異なって硬化されるパターンをさらに含む、請求項39記載の光学フィルム。
【請求項４１】
光学層、および
ピークで終端となる少なくとも第一の面および第二の面をそれぞれ有する複数の微細構造を含み、該微細構造のピークは望ましくない光学的状態を妨げるかまたは最小限にするためにピークの少なくとも一部の上の成分に間隔をあけることによって光学層から十分に離れて間隔をあける、光学構造。
【請求項４２】
光学層が散光器を含む、請求項41記載の光学構造。
【請求項４３】
複数の微細構造が第一の複数の微細構造であり、該光学構造が第一の複数の微細構造の下に位置する第二の複数の微細構造をさらに含む、請求項41記載の光学構造。
【請求項４４】
第二の複数の微細構造が第一の複数の微細構造に関して相殺される、請求項43記載の光学構造。
【請求項４５】
第二の複数の微細構造の下に位置する散光器をさらに含む、請求項43記載の光学構造。
【請求項４６】
散光器の下に位置する導波路をさらに含む、請求項45記載の光学構造。
【請求項４７】
複数の微細構造が第一の複数の微細構造であり、第二の複数の微細構造をさらに含み、第二の複数の微細構造が底面、第一の面、および第二の面を有し、第一の面は第一の平面を含み、第二の面は第二の平面および第三の平面を含む、請求項41記載の光学構造。
【請求項４８】
第一の複数の微細構造のピークが、望ましくない光学的状態を妨げるかまたは最小限にするために光学層から第二の複数の微細構造のピークを離す間隔をあけるために第二の複数の微細構造の上に延在する、請求項47記載の光学構造。
【請求項４９】
（a）表面が実質的に滑らかになるまでドラムの表面を磨くこと
（b）ドラムの表面にパターンの陰画イメージを彫ること
（c）必要ならドラムの表面にパターンの陰画イメージが所望の深さになるまで、ドラムの表面を再び磨き、かつ再び彫ること、および
（d）ドラムの表面を用いて、フィルム上にパターンを鋳造すること
を含む、フィルム上にパターンを形成する方法。
【請求項５０】
フィルムのウィンドウ側にパターンを鋳造することをさらに含む、請求項49記載の方法。
【請求項５１】
パターンの構造が約0.010から3.00マイクロメートルの間の範囲の高さを有する、請求項49記載の方法。